(57)【要約】      （修正有）【課題】冷媒や熱媒を用いる従来の部分浴器では、冷媒や熱媒の準備や、使用した冷媒や熱媒の処理など、取り扱いが煩雑であった。【解決手段】部分浴器具１は、身体の一部分Ｂを浴するための低反発フォーム２を備える。低反発フォーム２は、身体の一部分Ｂの略全周に接触することができ、身体の一部分Ｂと接触することによって変形された状態で、低反発フォーム２の弾力によって身体の一部分Ｂを加圧する。これにより、簡易な方法で使用できる部分浴器具が提供される。【選択図】図１
2018175383.tif 000002
【特許請求の範囲】
【請求項１】
身体の一部分を浴するための低反発フォームを備え、
前記低反発フォームは、前記身体の一部分の略全周に接触することができ、前記身体の一部分と接触することによって変形された状態で、前記低反発フォームの弾力によって前記身体の一部分を加圧することを特徴とする、部分浴器具。
【請求項２】
前記低反発フォームの反発弾性率は、０％以上、４０％以下であることを特徴とする、請求項１に記載の部分浴器具。
【請求項３】
前記低反発フォームを２５％圧縮したときの前記低反発フォームの硬度は、５０Ｎ以上、１４０Ｎ以下であることを特徴とする、請求項１または２に記載の部分浴器具。
【請求項４】
前記低反発フォームは、
第１低反発フォームと、
前記第１低反発フォームから分離しており、前記第１低反発フォームとの間に前記身体の一部分を挟むことができる第２低反発フォームとを備えることを特徴とする、請求項１〜３のいずれか一項に記載の部分浴器具。
【請求項５】
前記低反発フォームは、前記身体の一部分を挿入することができる開口を有することを特徴とする、請求項１〜３のいずれか一項に記載の部分浴器具。
【請求項６】
前記低反発フォームは、前記身体の一部分を挿入することができる切り込みを有することを特徴とする、請求項１〜３のいずれか一項に記載の部分浴器具。
【請求項７】
前記低反発フォームが前記身体の一部分を覆った状態で、前記低反発フォームを保持する保持部材を、さらに備えることを特徴とする、請求項１〜６のいずれか一項に記載の部分浴器具。
【請求項８】
前記保持部材は、前記低反発フォームを収容する容器であることを特徴とする、請求項７に記載の部分浴器具。
【請求項９】
前記容器の少なくとも一部が布帛であることを特徴とする、請求項８に記載の部分浴器具。
【請求項１０】
前記布帛は、不織布であることを特徴とする、請求項９に記載の部分浴器具。
【請求項１１】
前記保持部材は、前記低反発フォームを支持するフレームであることを特徴とする、請求項７に記載の部分浴器具。
【請求項１２】
前記保持部材は、ベルトであることを特徴とする、請求項７に記載の部分浴器具。
【請求項１３】
前記身体の一部分は、足であることを特徴とする、請求項１〜１２のいずれか一項に記載の部分浴器具。
【発明の詳細な説明】
【技術分野】
【０００１】
本発明は、部分浴器具に関する。
【背景技術】
【０００２】
従来、足などの身体の一部分を、冷水などの冷媒や、温水などの熱媒に浴するための部分浴器が知られている（例えば、下記特許文献１参照。）。
【先行技術文献】
【特許文献】
【０００３】
【特許文献１】特開２００７−２７５４１４号公報
【発明の概要】
【発明が解決しようとする課題】
【０００４】
しかし、上記した特許文献１に記載されるような、冷媒や熱媒を用いる部分浴器では、冷媒や熱媒の準備や、使用した冷媒や熱媒の処理など、取り扱いが煩雑である。
【０００５】
そこで、本発明の目的は、簡易な方法で使用できる部分浴器具を提供することにある。
【課題を解決するための手段】
【０００６】
本発明［１］は、身体の一部分を浴するための低反発フォームを備え、前記低反発フォームが、前記身体の一部分の略全周に接触することができ、前記身体の一部分と接触することによって変形された状態で、前記低反発フォームの弾力によって前記身体の一部分を加圧する、部分浴器具を含む。
【０００７】
本発明［２］は、前記低反発フォームの反発弾性率が、０％以上、４０％以下である、上記［１］の部分浴器具を含む。
【０００８】
本発明［３］は、前記低反発フォームを２５％圧縮したときの前記低反発フォームの硬度が、５０Ｎ以上、１４０Ｎ以下である、上記［１］または［２］の部分浴器具を含む。
【０００９】
本発明［４］は、前記低反発フォームが、第１低反発フォームと、前記第１低反発フォームから分離しており、前記第１低反発フォームとの間に前記身体の一部分を挟むことができる第２低反発フォームとを備える、上記［１］〜［３］のいずれか１つの部分浴器具を含む。
【００１０】
本発明［５］は、前記低反発フォームが、前記身体の一部分を挿入することができる開口を有する、上記［１］〜［３］のいずれか１つの部分浴器具を含む。
【００１１】
本発明［６］は、前記低反発フォームが、前記身体の一部分を挿入することができる切り込みを有する、上記［１］〜［３］のいずれか１つの部分浴器具を含む。
【００１２】
本発明［７］は、前記低反発フォームが前記身体の一部分を覆った状態で、前記低反発フォームを保持する保持部材を、さらに備える、上記［１］〜［６］のいずれか１つの部分浴器具を含む。
【００１３】
本発明［８］は、前記保持部材が、前記低反発フォームを収容する容器である、上記［７］の部分浴器具を含む。
【００１４】
本発明［９］は、前記容器の少なくとも一部が布帛である、上記［８］の部分浴器具を含む。
【００１５】
本発明［１０］は、前記布帛が、不織布である、上記［９］の部分浴器具を含む。
【００１６】
本発明［１１］は、前記保持部材が、前記低反発フォームを支持するフレームである、上記［７］の部分浴器具を含む。
【００１７】
本発明［１２］は、前記保持部材が、ベルトである、上記［７］の部分浴器具を含む。
【００１８】
本発明［１３］は、前記身体の一部分が、足である、上記［１］〜［１２］のいずれか１つの部分浴器具を含む。
【発明の効果】
【００１９】
本発明の部分浴器具によれば、冷媒や熱媒の準備や、使用した冷媒や熱媒を処理する必要がなく、簡易な方法で使用できる。
【図面の簡単な説明】
【００２０】
【図１】図１Ａおよび図１Ｂは、本発明の第１実施形態の部分浴器具を説明するための説明図であって、図１Ａは、部分浴器具を示し、図１Ｂは、図１Ａに示す部分浴器具の使用状態を示す。
【図２】図２Ａおよび図２Ｂは、第２実施形態の部分浴器具を説明するための説明図であって、図２Ａは、低反発フォームを示し、図２Ｂは、図２Ａに示す部分浴器具の使用状態を示す。
【図３】図３Ａおよび図３Ｂは、第３実施形態の部分浴器具を説明するための説明図であって、図３Ａは、低反発フォームを示し、図３Ｂは、図３Ａに示す部分浴器具の使用状態を示す。
【図４】図４Ａおよび図４Ｂは、第４実施形態の部分浴器具を説明するための説明図であって、図４Ａは、部分浴器具を示し、図４Ｂは、図４Ａに示す部分浴器具の使用状態を示す。
【図５】図５Ａおよび図５Ｂは、第５実施形態の部分浴器具を説明するための説明図であって、図５Ａは、部分浴器具を示し、図５Ｂは、図５Ａに示す部分浴器具の使用状態を示す。
【図６】図６は、第６実施形態の部分浴器具を説明するための説明図であって、部分浴器具を示す。
【図７】図７は、図６に示す部分浴器具の使用状態を示す。
【図８】図８Ａおよび図８Ｂは、第６実施形態の部分浴器具の変形例を説明するための説明図である。
【図９】図９Ａおよび図９Ｂは、第７実施形態の部分浴器具を説明するための説明図であって、図９Ａは、部分浴器具を示し、図９Ｂは、部分浴器具の使用状態を示す。
【発明を実施するための形態】
【００２１】
１．部分浴器具
本発明の第１実施形態としての部分浴器具１は、図１Ａおよび図１Ｂに示すように、低反発フォーム２に身体の一部分Ｂを浴するための器具である。低反発フォーム２に身体の一部分Ｂを浴するとは、身体の一部分Ｂを低反発フォーム２によって包み、その状態で、低反発フォーム２の弾力によって身体の一部分Ｂを加圧することである。言い換えると、低反発フォーム２に身体の一部分Ｂを浴するとは、低反発フォーム２が身体の一部分Ｂと接触することによって変形された状態で、低反発フォーム２の弾力によって身体の一部分Ｂを加圧することである。なお、低反発フォーム２は、身体の一部分Ｂの略全周に接触する。略全周とは、２７０°周り以上、さらには、３００°周り以上、とりわけ、３３０°周り以上と定義される。また、全周とは、３６０°周りと定義される。好ましくは、低反発フォーム２は、身体の一部分Ｂの全周に接触する。低反発フォーム２は、身体の一部分Ｂを浴することができれば、後述する第１低反発フォーム２Ａと第２低反発フォーム２Ｂとの境界部分など、身体の一部分Ｂに接触していない部分を有してもよい。
【００２２】
また、低反発フォーム２は、身体の一部分Ｂと直接接触してもよい。また、低反発フォーム２は、低反発フォーム２の弾力を身体の一部分Ｂに作用させることができれば、身体の一部分Ｂと直接接触しなくてもよい。例えば、低反発フォーム２は、身体の一部分Ｂに着用される衣服（靴下など）などを介して、身体の一部分Ｂに間接的に接触してもよい。
【００２３】
また、部分浴器具１は、実質的に、低反発フォーム２の弾力のみによって、身体の一部分Ｂを加圧する。部分浴器具１は、低反発フォーム２以外に、マッサージ器具に設けられる揉み玉などのような、身体の一部分Ｂを加圧するための部材を備えない。
【００２４】
身体の一部分Ｂとしては、例えば、手や足などが挙げられる。好ましくは、身体の一部分Ｂは、足である。
【００２５】
部分浴器具１は、低反発フォーム２と、保持部材の一例としてのフレーム３とを備える。
【００２６】
（１）低反発フォーム
低反発フォーム２は、反発弾性率が４０％以下であるフォームである。低反発フォームは、軟質フォームに含まれ、半硬質フォーム、硬質フォームとは区別される。詳しくは、低反発フォームは、見かけ密度（ＪＩＳ  Ｋ７２２２：２００５）が、例えば、１００ｋｇ／ｍ３未満であり、かつ、気泡が連続した連続気泡構造を有する発泡体である。
【００２７】
低反発フォーム２は、第１低反発フォーム２Ａと、第２低反発フォーム２Ｂとを備える。この場合、部分浴器具１は、第１低反発フォーム２Ａと、第２低反発フォーム２Ｂとの間に身体の一部分Ｂを挟むことができる。
【００２８】
（１−１）第１低反発フォーム
第１低反発フォーム２Ａは、第１低反発フォーム２Ａと第２低反発フォーム２Ｂとの間に身体の一部分Ｂが挟まれた状態で、身体の一部分Ｂに対して、第２低反発フォーム２Ｂの反対側に配置される。第１低反発フォーム２Ａは、第１低反発フォーム２Ａと第２低反発フォーム２Ｂとの間に身体の一部分Ｂが挟まれた状態で、身体の一部分Ｂの形状に沿って変形する。この状態で、第１低反発フォーム２Ａは、第１低反発フォーム２Ａの弾力によって身体の一部分Ｂを加圧する。
【００２９】
第１低反発フォーム２Ａの外形は、特に限定されない。第１低反発フォーム２Ａの外形としては、例えば、立方体、直方体、円柱、三角柱などが挙げられる。
【００３０】
第１低反発フォーム２Ａの反発弾性率（ＪＩＳ  Ｋ６４００−３）は、例えば、０％以上、好ましくは、１％以上、より好ましくは、２％以上、例えば、４０％以下、好ましくは、３０％以下、より好ましくは、２０％以下である。
【００３１】
第１低反発フォーム２Ａの反発弾性率が上記下限値以上かつ上記上限値以下であることにより、低反発フォーム２は、身体の一部分Ｂを適度に加圧することができ、さらに、身体の一部分Ｂから部分浴器具１を取り外すときに、ユーザーに、心地よい解放感を感じさせることができる。
【００３２】
第１低反発フォーム２Ａを２５％圧縮したときの第１低反発フォーム２Ａの硬度は、後述する実施例に記載される方法で測定され、例えば、５０Ｎ以上、例えば、１４０Ｎ以下、好ましくは、１２０Ｎ以下、より好ましくは、１００Ｎ以下、より一層好ましくは、９５Ｎ以下である。
【００３３】
第１低反発フォーム２Ａの硬度が上記下限値以上かつ上記上限値以下であることにより、低反発フォーム２は、身体の一部分Ｂに追従して、身体の一部分Ｂを十分に包んだ状態で、身体の一部分Ｂを適度に加圧することができる。
【００３４】
第１低反発フォーム２Ａの材料としては、例えば、低反発ポリウレタンフォーム、低反発ポリスチレンフォーム、低反発ポリオレフィンフォーム、低反発エチレン−酢酸ビニル共重合樹脂（ＥＶＡ）フォーム、低反発ポリビニルアルコール（ＰＶＡ）フォーム、低反発エチレン−プロピレン−ジエンゴム（ＥＰＤＭ）フォーム、低反発ポリ塩化ビニル（ＰＶＣ）フォーム、低反発シリコーンフォーム、低反発ラテックスフォームなどが挙げられる。好ましくは、第１低反発フォーム２Ａの材料は、低反発ポリウレタンフォームである。
【００３５】
第１低反発フォーム２Ａの材料が低反発ポリウレタンフォームであると、耐久性、耐摩耗性、生産性に優れており、他のフォーム材料に比べ、より好ましい。
【００３６】
低反発ポリウレタンフォームは、ポリウレタン樹脂からなる低反発フォームであって、ポリイソシアネート成分（例えば、トルエンジイソシアネート、ジフェニルメタンジイソシアネートなど）とポリオール成分（例えば、ポリエーテルポリオール、ポリエステルポリオール、ポリマーポリオール、低分子量ポリオール）とを含む原料の発泡体である。
【００３７】
低反発ポリウレタンフォームを製造するには、例えば、ポリオール成分、発泡剤および触媒、さらには、必要により、架橋剤、整泡剤、連通化剤（セルオープナー）、添加剤（酸化防止剤、紫外線吸収剤、耐光安定剤など）を含むレジンプレミックスと、ポリイソシアネート成分とを、所望の配合割合およびイソシアネートインデックス（ポリオール成分の水酸基濃度に対する、ポリイソシアネート成分のイソシアネート基濃度（ＮＣＯ濃度）の比に１００を乗じた値、ＮＣＯ濃度／水酸基濃度×１００）で混合して、得られた発泡組成物を、所定の型内で発泡させる。
【００３８】
（１−２）第２低反発フォーム
第２低反発フォーム２Ｂは、第１低反発フォーム２Ａから分離しており、第１低反発フォーム２Ａとの間に身体の一部分Ｂを挟むことができる。第２低反発フォーム２Ｂは、上記した第１低反発フォーム２Ａと同様の部材（つまり、第１低反発フォーム２Ａと同様の形状、物性を有する低反発ポリウレタンフォーム）である。そのため、第２低反発フォーム２Ｂに関し、上記した第１低反発フォーム２Ａの説明を援用できる点について、説明を省略する。
【００３９】
（２）フレーム
フレーム３は、硬質材料から作製され、低反発フォーム２が身体の一部分Ｂを覆った状態で、低反発フォーム２を保持する。フレーム３は、第１フレーム３Ａと、第２フレーム３Ｂとを備える。
【００４０】
第１フレーム３Ａは、第１低反発フォーム２Ａを支持する。第１フレーム３Ａは、第１低反発フォーム２Ａと第２低反発フォーム２Ｂとの対向方向において、第１低反発フォーム２Ａに対して、第２低反発フォーム２Ｂの反対側に配置される。第１フレーム３Ａは、平板形状を有する。第１フレーム３Ａは、具体的には、第２低反発フォーム２Ｂとは反対側の第１低反発フォーム２Ａの表面を被覆する平板部と、第１低反発フォーム２Ａの一側端面を被覆する側板部とを備えるＬ字形状を有する。
【００４１】
第２フレーム３Ｂは、第２低反発フォーム２Ｂを支持する。第２フレーム３Ｂは、第１低反発フォーム２Ａと第２低反発フォーム２Ｂとの対向方向において、第２低反発フォーム２Ｂに対して、第１低反発フォーム２Ａの反対側に配置される。第２フレーム３Ｂは、平板形状を有する。第２フレーム３Ｂは、具体的には、第１低反発フォーム２Ａとは反対側の第２低反発フォーム２Ｂの表面を被覆する平板部と、第２低反発フォーム２Ｂの一側端面を被覆する側板部とを備えるＬ字形状を有する。第２フレーム３Ｂは、ヒンジ５によって第１フレーム３Ａと連結されている。
【００４２】
ベルト４は、第１低反発フォーム２Ａと第２低反発フォーム２Ｂとの間に身体の一部分Ｂが挟まれた状態で、第１フレーム３Ａと第２フレーム３Ｂとを互いに固定するために設けられる。ベルト４は、可撓性を有する。ベルト４は、第１低反発フォーム２Ａと第２低反発フォーム２Ｂとの他側端面に沿って、対向方向に延びる。ベルト４は、対向方向において、一端部が第１フレーム３Ａに接続され、他端部が第２フレーム３Ｂに接続される。
【００４３】
２．部分浴器具の使用方法
ユーザーは、部分浴器具１を使用するとき、まず、図１Ａに示すように、第１低反発フォーム２Ａと第２低反発フォーム２Ｂとが離れた状態で、第１低反発フォーム２Ａと第２低反発フォーム２Ｂとの間に身体の一部分Ｂを挿入する。
【００４４】
その後、図１Ｂに示すように、身体の一部分Ｂが第１低反発フォーム２Ａと第２低反発フォーム２Ｂとの間に配置された状態で、第１低反発フォーム２Ａと第２低反発フォーム２Ｂとが接触するように、ベルト４で、第１フレーム３Ａと第２フレーム３Ｂとを互いに固定する。
【００４５】
すると、身体の一部分Ｂが、第１低反発フォーム２Ａおよび第２低反発フォーム２Ｂによって包まれた状態で、第１低反発フォーム２Ａおよび第２低反発フォーム２Ｂの弾力により加圧される。
【００４６】
これにより、ユーザーは、柔らかい低反発フォーム２によって身体の一部分Ｂが包まれた状態で、低反発フォーム２の心地よい弾力を感じることができる。
【００４７】
また、身体の一部分Ｂが低反発フォーム２によって包まれていることに慣れた後、身体の一部分Ｂから部分浴器具１を取り外すと、低反発フォーム２から身体の一部分Ｂが解放され、ユーザーは、心地よい解放感を感じることができる。
【００４８】
３．作用効果
この部分浴器具１によれば、図１Ｂに示すように、身体の一部分Ｂを、第１低反発フォーム２Ａと第２低反発フォーム２Ｂとの間に挟んで、低反発フォーム２に身体の一部分Ｂを浴するという、簡易な方法で、身体の一部分Ｂに、低反発フォーム２の心地よい弾力を付与することができる。
【００４９】
その結果、冷媒や熱媒の準備や、使用した冷媒や熱媒を処理する必要がなく、簡易な方法で、部分浴器具１を使用できる。
【００５０】
４．第２実施形態
第２実施形態において、第１実施形態と同様の部材には同様の符号を付し、説明を省略する。
【００５１】
第２実施形態では、図２Ａおよび図２Ｂに示すように、部分浴器具１０は、フレーム３の代わりに、フレーム１１Ａ、１１Ｂを備え、ベルト４を備えない。
【００５２】
フレーム１１Ａ、１１Ｂは、硬質材料からコ字状の平板形状に作製され、第１低反発フォーム２Ａおよび第２低反発フォーム２Ｂの周縁部を互いに向かい合うように挟むことにより、第１低反発フォーム２Ａおよび第２低反発フォーム２Ｂを互いに固定する。
【００５３】
なお、低反発フォーム２は、身体の一部分Ｂを受け入れるための凹部１２を有することもできる。図２では、第２低反発フォーム２Ａにおいて、周端縁から中央に向かって平面視Ｕ字形状に切り欠くことにより、凹部１２を設けている。身体の一部分Ｂは、凹部１２からフレーム１１Ａとフレーム１１Ｂとの間に挿入される。
【００５４】
第２実施形態でも、第１実施形態と同様の作用効果を得ることができる。
【００５５】
５．第３実施形態
第３実施形態では、図３Ａおよび図３Ｂに示すように、部分浴器具２０は、低反発フォーム２１と、保持部材の一例としてのベルト２２とを備える。
【００５６】
低反発フォーム２１は、上記した第１低反発フォーム２Ａと同様の材料からなる。低反発フォーム２１は、平板形状を有する。
【００５７】
第３実施形態では、ユーザは、低反発フォーム２１を湾曲させることにより、低反発フォーム２１を筒形状に変形させる。筒形状に変形した状態で、低反発フォーム２１の径方向中央には、開口２３が形成される。
【００５８】
ベルト２２は、可撓性を有する。ベルト２２は、筒形状の低反発フォーム２１の周方向に延び、低反発フォーム２１の両端部に接続される。これによって、ベルト２２は、低反発フォーム２１を筒形状の状態で保持する。
【００５９】
ユーザが筒形状の低反発フォーム２１の開口２３に身体の一部分Ｂを挿入すると、身体の一部分Ｂは、低反発フォーム２１によって包まれた状態で、低反発フォーム２１の弾力により加圧される。
【００６０】
第３実施形態でも、第１実施形態と同様の作用効果を得ることができる。
【００６１】
６．第４実施形態
第４実施形態では、図４Ａおよび図４Ｂに示すように、部分浴器具３０は、開口３２を有する低反発フォーム３１のみを備える。第４実施形態では、部分浴器具３０は、保持部材を備えない。
【００６２】
低反発フォーム３１は、上記した第１低反発フォーム２Ａと同様の材料からなる。低反発フォーム３１は、筒形状を有する。なお、低反発フォーム３１は、低反発フォーム３１の径方向において、開口３２から低反発フォーム３１の外周面まで延びる切り込み３３を有してもよい。低反発フォーム３１が切り込み３３を有することにより、身体の一部分Ｂを開口３２に挿入するときに、開口３２を拡げることができ、開口３２に身体の一部分Ｂを容易に挿入できる。
【００６３】
第４実施形態でも、第３実施形態と同様の作用効果を得ることができる。
【００６４】
７．第５実施形態
第５実施形態では、図５Ａおよび図５Ｂに示すように、部分浴器具４０は、低反発フォーム４１と、保持部材の一例としての容器４２とを備える。
【００６５】
低反発フォーム４１は、上記した第１低反発フォーム２Ａと同様の材料からなる。低反発フォーム４１は、足先から足首までを包むことができる厚さ（５ｃｍ以上、３０ｃｍ以下）を有する。低反発フォーム４１は、その上面中央部において、身体の一部分Ｂを挿入することができる切り込み４３を有する。
【００６６】
容器４２は、低反発フォーム４１を収容する。容器４２は、開口４４を有する箱である。容器４２は、硬質材料から作製される。容器４２が低反発フォーム４１を収容した状態で、低反発フォーム４１の外面（上面を除く周側面および底面）は、容器４２の内面と接触する。これにより、容器４２は、身体の一部分Ｂが低反発フォーム４１の切り込み４３に挿入された状態で、低反発フォーム４１を保持する。すなわち、容器４２は、低反発フォーム４１が身体の一部分Ｂを覆った状態で、低反発フォーム４１を保持する。
【００６７】
第５実施形態でも、第１実施形態と同様の作用効果を得ることができる。
【００６８】
８．第６実施形態
第６実施形態において、第５実施形態と同様の部材には同様の符号を付し、説明を省略する。
【００６９】
図６および図７に示すように、第６実施形態の部分浴器具５０では、容器５１は、少なくとも一部が布帛から作製されてもよい。容器５１は、全部が布帛から作製されてもよい。布帛としては、織物、編物、不織布などが挙げられる。布帛としては、好ましくは、不織布が挙げられる。図６および図７に示す容器５１は、開口４４を有する箱１００と、開口４４を開閉する蓋１０１とを備えており、箱１００を硬質材料から作製し、蓋１０１を布帛から作製してもよく、箱１００および蓋１０１の両方を布帛から作製してもよい。
【００７０】
また、容器５１において、箱１００および蓋１０１には、身体の一部分Ｂを受け入れる凹部（切り欠き）１０２が、蓋１０１を閉じたときに互いに連通するように、設けられている。
【００７１】
第６実施形態でも、第５実施形態と同様の作用効果を得ることができる。
【００７２】
なお、第６実施形態では、図８Ａに示すように、容器５１は、第２実施形態の低反発フォーム２（図２Ａ参照）を収容することもできる。この場合、部分浴器具５０は、フレーム１１Ａ、１１Ｂを備えない。また、蓋１０１の凹部１０２は、蓋１０１を閉じたときに、低反発フォーム２の凹部１２と重なる。これにより、ユーザーは、蓋１０１が閉じた状態で、凹部１０２を介して、凹部１２に身体の一部分Ｂを挿入することができる。
【００７３】
また、図８Ｂに示すように、容器５１の蓋１０１には、開口１０１Ａを設けることもできる。開口１０１Ａは、蓋１０１が閉じた状態で、切り込み４３（図６および図７参照）を露出する。ユーザーは、蓋１０１が閉じた状態で、開口１０１Ａを介して、切り込み４３に身体の一部分Ｂを挿入することができる。
【００７４】
これらの変形例でも、第６実施形態と同様の作用効果を得ることができる。
【００７５】
９．第７実施形態
第７実施形態では、図９Ａおよび図９Ｂに示すように、部分浴器具６０は、低反発フォーム６１と、靴形状の容器６２とを備える。
【００７６】
低反発フォーム６１は、上記した第１低反発フォーム２Ａと同様の材料からなる。低反発フォーム６１は、容器６２の内部空間に充填されている。低反発フォーム６１は、その上面において、身体の一部分Ｂを挿入することができる開口６３を有する。
【００７７】
容器６２は、硬質材料または弾性材料から作製されている。
【００７８】
第７実施形態でも、第３実施形態および第４実施形態と同様の作用効果を得ることができる。
【実施例】
【００７９】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。
【００８０】
１．低反発ポリウレタンフォームの作製
（１）実施例１〜３
アクトコールＬＲ−００（ポリオール成分、ポリエーテルポリオール、三井化学ＳＫＣポリウレタン社製）１００質量部と、低分子量ポリオール（ポリオール成分）０〜１０質量部と、水（発泡剤）２質量部と、整泡剤０．２〜３質量部と、アミン触媒０．０５〜３質量部と、金属触媒０．０１〜１質量部と、コスモネートＴ−８０（イソシアネート成分、トルエンジイソシアネート、三井化学ＳＫＣポリウレタン社製）とを混合して得られた発泡組成物を、所定の型内で発泡させて、実施例１〜３の低反発ポリウレタンフォームを得た。
【００８１】
なお、得られる低反発ポリウレタンフォームが所望の反発弾性率および硬度となるように、上記した範囲で、各原料の配合割合を調整した。また、得られる低反発ポリウレタンフォームが所望の反発弾性率および硬度となるように、イソシアネートインデックスを、６０〜１１０の範囲で調整した。
【００８２】
（２）実施例４〜７
アクトコールＥＰ−３３０Ｎ（ポリオール成分、ポリエーテルポリオール、三井化学ＳＫＣポリウレタン社製）１０〜９０質量部と、アクトコールＰＯＰ−Ｓ００５（ポリオール成分、ポリマーポリオール、三井化学ＳＫＣポリウレタン社製）０〜９０質量部と、アクトコールＴ−７００Ｓ（ポリオール成分、ポリエーテルポリオール、三井化学ＳＫＣポリウレタン社製）０〜１０質量部と、水（発泡剤）２質量部と、連通化剤０〜１０質量部と、架橋剤０．２〜３質量部と、整泡剤０．２〜３質量部と、アミン触媒０．０５〜３質量部と、コスモネートＴ−８０（イソシアネート成分、トルエンジイソシアネート、三井化学ＳＫＣポリウレタン社製）とを混合して得られた発泡組成物を、所定の型内で発泡させて、実施例４〜７の低反発ポリウレタンフォームを得た。
【００８３】
なお、得られる低反発ポリウレタンフォームが所望の反発弾性率および硬度となるように、上記した範囲で、各原料の配合割合を調整した。また、得られる低反発ポリウレタンフォームが所望の反発弾性率および硬度となるように、イソシアネートインデックスを、６０〜１１０の範囲で調整した。
【００８４】
（３）比較例
アクトコールＥＰ−３３０Ｎ（ポリオール成分、ポリエーテルポリオール、三井化学ＳＫＣポリウレタン社製）０〜１００質量部と、アクトコールＰＯＰ−Ｓ００５（ポリオール成分、ポリマーポリオール、三井化学ＳＫＣポリウレタン社製）０〜１００質量部と、水（発泡剤）２質量部と、架橋剤０．２〜３質量部と、整泡剤０．２〜３質量部と、アミン触媒０．０５〜３質量部と、コスモネートＴ−８０（イソシアネート成分、トルエンジイソシアネート、三井化学ＳＫＣポリウレタン社製）とを混合して得られた発泡組成物を、所定の型内で発泡させて、比較例のポリウレタンフォームを得た。
【００８５】
なお、得られるポリウレタンフォームが所望の反発弾性率および硬度となるように、上記した範囲で、各原料の配合割合を調整した。また、得られるポリウレタンフォームが所望の反発弾性率および硬度となるように、イソシアネートインデックスを、６０〜１２０の範囲で調整した。
【００８６】
２．ポリウレタンフォームの物性
（１）反発弾性率（ＪＩＳ  Ｋ６４００−３）
各実施例で得られた低反発ポリウレタンフォーム、および、比較例で得られたポリウレタンフォームについて、反発弾性率を測定した。
【００８７】
詳しくは、ＪＩＳ  Ｋ６４００−３に沿って、試験片を作製し、ＪＩＳ  Ｋ６４００−３で用いる試験機と同様の試験機を使用して、反発弾性率を測定した。ただし、予備圧縮は実施しなかった。結果を表１および表２に示す。
【００８８】
（２）硬度
各実施例で得られた低反発ポリウレタンフォーム、および、比較例で得られたポリウレタンフォームについて、２５％圧縮したときの瞬間硬度を測定した。
【００８９】
詳しくは、ＪＩＳ  Ｋ６４００−２に沿って、試験片を作製し、ＪＩＳ  Ｋ６４００−２で用いる試験機と同様の試験機を使用した。
【００９０】
予備圧縮は実施しないで、加圧板で５Ｎの力を加えたときの加圧板の位置を初期位置とし、そのときの試験片の厚さを０．１ｍｍまで読み取り、測定した。
【００９１】
その後，速度１００±２０ｍｍ／分で試験片の厚さの２５±１％まで加圧し、加圧板が停止した直後の力を読み取った。このときの力の値を、２５％圧縮したときの瞬間硬度（硬度と記載する。）とする。結果を表１および表２に示す。
【００９２】
３．ポリウレタンフォームの評価
各実施例で得られた低反発ポリウレタンフォーム、および、比較例で得られたポリウレタンフォームから、厚み１２０ｍｍの試験片（２００ｍｍ×２００ｍｍ）を２つ準備した。
【００９３】
次いで、２つの試験片を上下に重ねて、それらの間に手を挟んだ状態で、上側の試験片の上に樹脂板を設置した。
【００９４】
次いで、上側の試験片が８０ｍｍ程度になるまで上方から力を加えて、１０秒間保持した後、加圧を解除した。
【００９５】
試験片によって手を包まれた感じがする程度（包まれ感）、および、試験片の肌触りについて、下記の基準で評価した。結果を表１および表２に示す。
【００９６】
１：大変良い。
【００９７】
２：やや良い。
【００９８】
３：どちらとも言えない。
【００９９】
４：やや不良。
【０１００】
５：不良。
【０１０１】
【表１】
2018175383.tif 000003
【０１０２】
【表２】
2018175383.tif 000004
【符号の説明】
【０１０３】
１      部分浴器具
２      低反発フォーム
２Ａ    第１低反発フォーム
２Ｂ    第２低反発フォーム
３      フレーム
３Ａ    第１フレーム
３Ｂ    第２フレーム
【図１】
2018175383.tif 000005
【図２】
2018175383.tif 000006
【図３】
2018175383.tif 000007
【図４】
2018175383.tif 000008
【図５】
2018175383.tif 000009
【図６】
2018175383.tif 000010
【図７】
2018175383.tif 000011
【図８】
2018175383.tif 000012
【図９】
2018175383.tif 000013